(57)【特許請求の範囲】
【請求項１】
固定テーブルから押し出されて景品落下口に落下した景品を払い出すプッシャー型の遊戯装置に使用される景品払出機構であって、
第１の水平軸で上下方向に回動自在に軸支された景品を載置するための載置板と、
一端部が下、他端部が上に位置するように、第２の水平軸で上下方向に回動自在に軸支され、前記載置板の下方に回動する端部を掛ける掛け部を前記一端部に有し、前記掛け部に前記載置板が掛け置かれることで前記載置板の下方への回動を防止する係止部材と、
前記係止部材の前記他端部に外力を加える外力付与機構と、
を備え、前記外力付与機構により前記係止部材の前記他端部に外力が加えられて前記係止部材が回動することで、前記掛け部での掛け置きが解除されて前記載置板が下方に回動し、前記載置板上に載置されていた景品が落下する景品払出機構。
【請求項２】
請求項１に記載の景品払出機構であって、
前記外力付与機構は、前記係止部材の他端部に繋がれて前記固定テーブル上に置かれる錘部材を有し、
前記他端部と前記錘部材とが繋がれる吊下げ紐が遊通する切欠きが前記掛け部に形成されており、
前記錘部材が前記固定テーブルから落下することによる重力が前記係止部材の他端部に伝達され、前記係止部材が回動する、
ことを特徴とする景品払出機構。
【請求項３】
請求項１又は２に記載の景品払出機構であって、
前記掛け部が回動動線上最下端に位置するときに当該掛け部に前記載置板が掛け置かれることで前記係止部材が前記載置板を係止することを特徴とする景品払出機構。
【請求項４】
請求項１〜３の何れか一項に記載の景品払出機構であって、
前記係止部材は、前記掛け部の高さ位置が変更可能に構成されていることを特徴とする景品払出機構。
【請求項５】
請求項１〜４の何れか一項に記載の景品払出機構であって、
前記係止部材は、前記掛け部の前記載置板との当接部分に滑り止め部材が設けられていることを特徴とする景品払出機構。
【請求項６】
請求項１〜５の何れか一項に記載の景品払出機構であって、
前記載置板を複数備え、
前記複数の載置板を前記係止部材が係止し、該係止の解除によって前記複数の載置板に載置されていた景品が落下することを特徴とする景品払出機構。
【請求項７】
請求項１〜６の何れか一項に記載の景品払出機構であって、
前記係止部材を複数備え、
前記複数の係止部材全ての係止が解除されることによって前記載置板が回動して該載置板に載置されていた景品が落下することを特徴とする景品払出機構。
【請求項８】
固定テーブルから押し出されて景品落下口に落下した景品を払い出すプッシャー型の遊戯装置であって、
所定の水平軸で回動自在に軸支された景品を載置するための載置板と、
所定軸で回動自在に軸支され、前記載置板の端部を掛ける掛け部を一端部に有し、当該掛け部に前記載置板が掛け置かれることで前記載置板の下方への回動を係止する係止部材と、
内部に景品が収納可能な景品ボックスと、
前記景品ボックスを一端で支持するとともに他端で回転可能に軸支され、起立状態と傾斜状態との間を遷移可能な支持アームと、
を備え、前記支持アームが回転して傾斜することにより、前記景品ボックスが前記係止部材の他端部に当接して外力が加えられて前記係止部材が回動することで、前記係止部材の係止が解除されて前記載置板が回動し、前記載置板に載置されていた景品が落下することを特徴とする遊戯装置。
【請求項９】
請求項８に記載の遊戯装置であって、
前記支持アームの回転を制御する制御手段を更に備えることを特徴とする遊戯装置。
【発明の詳細な説明】
【技術分野】
【０００１】
本発明は、プッシャー型の遊戯装置及びこれに使用される景品払出機構に関する。
【背景技術】
【０００２】
遊戯装置の一つとして、プッシャー型の景品払出ゲーム機がある。プッシャー型の景品払出ゲーム機は、回転するターンテーブル上に配置された景品を掬い上げるショベルと、固定テーブルと、固定テーブル上を景品落下口に近づき或いは遠ざかるように移動するスライドテーブルとを備えている。プレーヤが始動指示を入力すると、ショベルが自動的にターンテーブルから景品を掬い上げ、次いでプレーヤが落下指示を入力すると、ショベルは掬い上げた景品を固定テーブルの上に落下させる。固定テーブルに落された景品は、スライドテーブルによって押されることで玉突き状態となり、やがて固定テーブルから落下する。落下した景品が上手く景品落下口に入れば、プレーヤはその景品を獲得できる構成となっている。こうしたプッシャー型の景品払出ゲーム機は、ルールが解り易く誰でもが楽しめるゲームとして、特に女性や子供に人気がある。
【０００３】
プッシャー型の景品払出ゲーム機の中には、景品落下口近傍の上方に傾き可能に設けられた景品貯留部と、景品貯留部に連結されて固定テーブルに載置される錘部材を設けたものが知られている。具体的には、景品を貯留して景品落下口上方で吊るされたバケツの口と、固定テーブル上の錘部材とを紐で結ぶといった構成である。この場合、錘部材が固定テーブル上の景品と同様にして押されて落下すると、錘部材と連結している貯留部が錘部材の落下によって傾けられ、貯留していた景品が景品落下口に落下する仕組みとなっている。このようにボーナス用の景品を別途貯留し、特定の条件が揃うと払い出す構成とすることで、一度に大量の景品を獲得できるというプレーヤの射幸心を向上させ、ゲームをより面白くすることができる（例えば、特許文献１参照）。
【特許文献１】特許第３３７２５０８号公報
【発明の開示】
【発明が解決しようとする課題】
【０００４】
このような、特定の条件が達成されると予め貯留していた景品を落下口に落下させて払い出す仕掛けは、ある程度の時間が経つと見慣れたものとなり、その仕掛け自体に飽きが来て遊戯意欲の向上といった当初の目的を達成できなくなるため、常に目新しいものが要求されている。本発明は、上記事情に鑑みてなされたものであり、その目的とするところは、予め貯留されている景品を払い出す新たな仕掛けを提案することである。
【課題を解決するための手段】
【０００５】
上記課題を解決するため、第１の発明は、
固定テーブル（例えば、図１〜４の固定テーブル３１）から押し出されて景品落下口（例えば、図１〜４の景品落下口６１）に落下した景品を払い出すプッシャー型の遊戯装置（例えば、図１，２の遊戯装置１）に使用される景品払出機構（例えば、図３〜５の景品払出装置１００）であって、
所定の水平軸で回動自在に軸支された景品を載置するための載置板（例えば、図３〜５の載置板１３０）と、
所定軸で回動自在に軸支され、前記載置板の端部を掛ける掛け部を一端部に有し、当該掛け部に前記載置板が掛け置かれることで前記載置板の下方への回動を防止する係止部材（例えば、図３〜６の係止部材１４０）と、
前記係止部材の他端部に外力を加える外力付与機構（例えば、図１のＪＰ払出装置４０）と、
を備え、前記外力付与機構により前記係止部材の他端部に外力が加えられて前記係止部材が回動することで、前記係止部材の係止が解除されて前記載置板が回動し、前記載置板上に載置されていた景品が落下することを特徴とする。
【０００６】
この第１の発明によれば、プッシャー型の遊戯装置に使用される景品払出機構において、水平軸で回動自在に軸支された載置板の端部が所定軸で回動自在に軸支された係止部材の掛け部に掛け置かれて係止されて、この載置板の下方向への回動が防止される。そして、外力付与機構により係止部材の他端部に外力が加えられると、係止部材が回動し、係止が解除されて載置板が回動し、載置板に載置されていた景品が落下する。従って、例えば、載置板を景品落下口の上方近傍に配置し、且つその上面に景品を載置可能なように係止するように構成することで、係止部材の他端部に外力が加えられると、係止部材が回動して載置板の係止が外れ、載置板が回動して貯留していた景品を払い出すといった、新たな景品払出しが実現される。
【０００７】
第２の発明は、第１の発明の景品払出機構であって、
前記外力付与機構は、前記係止部材の他端部に繋がれて前記固定テーブル上に置かれる錘部材（例えば、図３の錘部材１６０）を有し、
前記錘部材が前記固定テーブルから落下することによる重力が前記係止部材の他端部に伝達され、前記係止部材が回動することを特徴とする。
【０００８】
この第２の発明によれば、係止部材の他端部に繋がれた錘部材が固定テーブルの上に置かれ、この錘部材が固定テーブルから落下すると、係止が解除されて載置板が回動し、載置板に載置されていた景品が落下する。これにより、錘部材が固定テーブルから落下すると、係止部材が回動して係止が外れ、載置板が回動して貯留していた景品を払い出すといった、新たな景品払出しの機構が実現される。
【０００９】
第３の発明は、第２の発明の景品払出機構であって、
前記係止部材は、前記一端部が下、前記他端部が上に位置して上下方向に回動するように水平軸で軸支され、
前記他端部と前記錘部材とが繋がれる吊下げ紐が遊通する切欠き（例えば、図６の切欠き１４５ａ）が前記掛け部に形成されていることを特徴とする。
【００１０】
この第３の発明によれば、係止部材は、掛け部を有する一端部が下、錘部材が繋がれた他端部が上に位置して、上下方向に回動するように水平軸で軸支されているとともに、他端部の掛け部に、他端部と錘部材とが繋がれる吊下げ紐が遊通する切欠きが形成されている。つまり、載置板が係止された状態では、係止部材の他端部に繋がれた吊下げ紐は、その下方の一端部に形成された切欠きを遊通して下方に垂れ下がり、固定テーブル上の錘部材に繋がれる。これにより、吊下げ紐が載置板に引っ掛かることで、錘部材が固定テーブルから落下したときの係止部材の回動を妨げるといったことや、或いは、係止が外れたときの載置板の回動を妨げるといったことが防止される。
【００１１】
第４の発明は、第１〜第３の何れかの発明の景品払出機構であって、
前記係止部材は、前記一端部と他端部間の所定位置で軸支され、前記他端部の下方への外力によって、前記一端部の掛け部が移動するように回動することを特徴とする。
【００１２】
この第４の発明によれば、係止部材は、一端部と他端部間の所定位置で軸支され、他端部への下方への外力によって、一端部の掛け部が移動するように回動する。つまり、錘部材が固定テーブルから落下すると、この錘部材の重力により、錘部材が繋がれている係止部材の他端部が下方に引っ張られて係止部材が回動し、一端部の掛け部が移動することで、この一端部に掛け置かれている載置板の端部が外れて載置板の係止が解除される。
【００１３】
第５の発明は、第１〜第４の何れかの発明の景品払出機構であって、
前記掛け部が回動動線上最下端に位置するときに当該掛け部に前記載置板が掛け置かれることで前記係止部材が前記載置板を係止することを特徴とする。
【００１４】
この第５の発明によれば、掛け部が回動動線最下端に位置するときに載置板が掛け置かれることで、係止部材が載置板を係止する。掛け部が回動動線上最下端に位置するときとは、例えば係止部材の掛け部の位置がこれを軸支する所定軸のほぼ直下に位置するときに該当し、この場合、載置板を安定して係止することが可能となる。
【００１５】
第６の発明は、第１〜第５の何れかの発明の景品払出機構であって、
前記係止部材は、前記掛け部の高さ位置が変更可能に構成されていることを特徴とする。
【００１６】
この第６の発明によれば、係止部材の掛け部の高さ位置が変更可能である。つまり、載置板の掛け置き位置を変更可能であり、これにより、傾斜板を、例えば載置した景品が滑り落ちない程度に傾斜させた状態で係止することが可能となる。
【００１７】
第７の発明は、第１〜第６の何れかの発明の景品払出機構であって、
前記係止部材は、前記掛け部の前記載置板との当接部分に滑り止め部材（例えば、図６の滑り止め部材１４６）が設けられていることを特徴とする。
【００１８】
この第７の発明によれば、掛け部の載置板との当接部分に滑り止め部材が設けられる。これにより、係止部材の係止部に掛け置かれている載置板が滑り落ちることが防止され、載置板を安定して係止することができる。ここで、滑り止め部材として、例えば係止部材の係止部と載置板の端部との間の摩擦係数を高めることが可能な材料、例えばゴム等により形成されたシート状の部材を用いることができる。
【００１９】
第８の発明は、第１〜第７の何れかの発明の景品払出機構であって、
前記載置板を複数備え、
前記複数の載置板を前記係止部材が係止し、該係止の解除によって前記複数の載置板に載置されていた景品が落下することを特徴とする。
【００２０】
この第８の発明によれば、複数の載置板が一の係止部材により係止され、この係止の解除によって複数の載置板に載置されていた景品が落下する。
【００２１】
第９の発明は、第１〜第７の何れかの発明の景品払出機構であって、
前記係止部材を複数備え、
前記複数の係止部材全ての係止が解除されることによって前記載置板が回動して該載置板に載置されていた景品が落下することを特徴とする。
【００２２】
この第９の発明によれば、一の載置板が複数の係止部材により係止され、この全ての係止部材による係止が解除されることによって、載置板に載置されている景品が落下する。
【００２３】
第１０の発明は、
固定テーブル（例えば、図１〜４の固定テーブル３１）から押し出されて景品落下口（例えば、図１〜４の景品落下口６１）に落下した景品を払い出すプッシャー型の遊戯装置（例えば、図１，２の遊戯装置１）であって、
所定の水平軸で回動自在に軸支された景品を載置するための載置板（例えば、図９の載置板１３１）と、
所定軸で回動自在に軸支され、前記載置板の端部を掛ける掛け部を一端部に有し、当該掛け部に前記載置板が掛け置かれることで前記載置板の下方への回動を係止する係止部材（例えば、図９の係止部材１４０）と、
内部に景品が収納可能な景品ボックス（例えば、図９のＪＰボックス４１）と、
前記景品ボックスを一端で支持するとともに他端で回転可能に軸支され、起立状態と傾斜状態との間を遷移可能な支持アーム（例えば、図９の支持アーム４２）と、
を備え、前記支持アームが回転して傾斜することにより、前記景品ボックスが前記係止部材の他端部に当接して外力が加えられて前記係止部材が回動することで、前記係止部材の係止が解除されて前記載置板が回動し、前記載置板に載置されていた景品が落下することを特徴とする。
【００２４】
この第１０の発明によれば、プッシャー型の遊戯装置において、水平軸で回動自在に軸支された載置板の端部が所定軸で回動自在に軸支された係止部材の掛け部に掛け置かれて係止されて、この載置板の下方向への回動が防止されるとともに、回転可能な支持アームにより景品ボックスが支持される。そして、支持アームが回転して傾斜することにより、景品ボックスが係止部材の他端部に当接して外力が加えられて係止部材が回動し、係止が解除されて載置板が回動し、載置板に載置されていた景品が落下する。従って、例えば、載置板を景品落下口の上方近傍に配置し、且つその上面に景品を載置可能なように係止するように構成することで、支持アームが回転して傾斜すると、係止部材の他端部に景品ボックスが当接して外力が加えられ、係止部材が回動して載置板の係止が外れ、載置板が回動して貯留していた景品を払い出すといった、新たな景品払出しが実現される。
【００２５】
第１１の発明は、第１０の発明の遊戯装置であって、
前記支持アームの回転を制御する制御手段（例えば、図１の制御装置５０）を更に備えることを特徴とする。
【００２６】
この第１１の発明によれば、支持アームの回転、即ち載置板の係止の解除を制御できる。
【発明を実施するための最良の形態】
【００２７】
以下、図面を参照して、本発明の好適な実施形態を説明する。
【００２８】
［遊戯装置］
図１は、本実施形態における遊戯装置１の外観図であり、図２は、図１のＡ−Ａ´矢視断面図である。この遊戯装置１は、いわゆるプッシャー型と呼ばれ、主にゲームセンタ等の店舗に設置される業務用の遊戯装置である。
【００２９】
図１，２によれば、遊戯装置１は、主に、多数の景品Ｐを配置するターンテーブル１０と、ターンテーブル１０上に配置された景品Ｐを掬い上げる掬い上げ装置２０と、掬い上げ装置２０の操作スイッチ２２と、掬い上げ装置２０により掬い上げた景品Ｐを載置し、押し出して景品落下口６１に落下させるプッシャーテーブル部３０と、所定の条件が達成されたときにボーナス用の景品Ｐを払い出すＪＰ払出装置４０と、遊戯装置１を統合的に制御する制御装置５０とを備えて構成される。遊戯装置１の筐体側面上部は透明なアクリル板で形成された透明カバー６５で覆われ、遊戯装置１内部を視認可能に構成されている。
【００３０】
また、遊戯装置１は、平面視略六角形の形状をなしており、略六角形の各辺でプレーヤが遊ぶためのステーションＳＴが６つ備えられている。ステーションＳＴ毎に、掬い上げ装置２０と、操作スイッチ２２と、プッシャーテーブル部３０と、ＪＰ払出装置４０と、景品落下口６１に連通して景品Ｐを取り出すための景品払出口６２とが備えられており、６人のプレーヤが各ステーションＳＴにおいて同時にプレイを楽しむことができる。
【００３１】
ここで、以下の説明における方向を次のように定める。即ち、上下左右方向を図１に向かって上下左右の方向とし、また、奥行き方向は、各ステーションＳＴから遊戯装置１の中心に向かって前後（手前／奥）の方向とする。即ち、各ステーションＳＴでプレイするプレーヤの視点に立った上下左右及び前後の方向とする。
【００３２】
ターンテーブル１０は、上向きに開口する環状溝を形成して有し、溝部分の底上面に多数の景品Ｐを配置するように構成されている。そして、ターンテーブル１０は、遊戯装置１の略中心を軸中心として、遊戯装置１内を一定方向にゆっくりと回転する。
【００３３】
掬い上げ装置２０は、２本のショベルアームと、景品Ｐを掬い上げ可能な曲面をなすショベルとを有して構成され、２本のショベルアームとショベルとによって所定のリンク機構が形成されている。そして、操作スイッチ２２からの操作信号に応じてショベルアームを駆動し、ショベルでターンテーブル１０上の景品を掬い上げ、掬い上げた景品Ｐをプッシャーテーブル部３０上に落下させるといった一連の掬い上げ動作を、制御装置５０による制御に従って実行する。
【００３４】
プッシャーテーブル部３０は、固定テーブル３１と、スライドテーブル３２とを有する。固定テーブル３１は、ターンテーブル１０の上方において装置中央から外方に向けて延出する平板であり、その前端部は景品落下口６１の上方に達している。スライドテーブル３２は、固定テーブル３１の上面に沿って前後方向に往復スライド移動する平板である。スライドテーブル３２の往復スライド運動により、スライドテーブル３２の前面に押されて固定テーブル３１上に載置されている景品Ｐが移動する。固定テーブル３１上に載置されている景品Ｐの密度が高いと、景品Ｐが玉突き状態となって固定テーブル３１の前端部から景品Ｐが景品落下口６１に落下し、景品払出口６２から景品Ｐが払い出される。一方、固定テーブル３１上に載置されている景品Ｐの密度が低いと、固定テーブル３１上の隙間を埋めるように景品Ｐが移動することとなる。
【００３５】
ＪＰ払出装置４０は、ＪＰ（ジャックポット）用の景品Ｐが予め収納されたＪＰボックス４１と、ＪＰボックス４１を一端部で支持する支持アーム４２とを有して構成されている。ＪＰ払出装置４０は、支持アーム４２が他端部を軸中心として回転することで、ＪＰボックス４１の位置を変更可能となっている。ＪＰ払出装置４０は、通常は、支持アーム４２がほぼ起立してＪＰボックス４１が装置中央に位置している状態にある。そして、所定のＪＰ条件が達成されると、支持アーム４２が手前側（プレーヤ側）に傾斜し、ＪＰボックス４１内に収納されている景品Ｐが落下するようになっている。また、支持アーム４２の回転は制御装置５０によって制御され、支持アーム４２を起立した状態と傾斜した状態との間の任意の位置で止めることもできる。
【００３６】
［景品払出装置］
図３は、図２のＢ−Ｂ´矢視要部断面図であり、景品払出口６１の上方に景品払出装置１００を配置した場合を示している。同図に示すように、本実施形態では、各ステーションＳＴに景品払出装置１００が備えられている。景品払出装置１００は、固定テーブル３１から錘部材１６０が落下すると、載置板１３０上に予め貯留されていた景品Ｐを払い出す装置である。
【００３７】
図４は、景品払出装置１００の斜視図である。また、図５（ａ）は景品払出装置１００の平面図であり、同図（ｂ）は正面図である。図３〜５によれば景品払出装置１００は、枠体１１０と、横棒１２０と、載置板１３０と、係止部材１４０と、錘部材１６０とを備えている。
【００３８】
枠体１１０は、平面視略ｈ字形状の１対の平板部材であり、上端部１１１を奥側にして対向させて、下端部１１２が景品落下口６１の左右の内側面それぞれに固定されて設置されている。また、枠体１１０の上端部１１１には、細角柱である横棒１２０が、長手方向が水平且つ左右方向に沿った方向で架け渡されて固定されている。そして、横棒１２０の中央付近には、２つの係止部材１４０が軸支されている。また、枠体１１０の中段部１１３の上面には、載置板１３０が軸支されている。
【００３９】
載置板１３０は、透明なアクリルで形成された平板であり、軸方向が水平且つ奥行き方向（前後方向）に沿った軸１３１で、一端部寄りの位置で枠体１１０の中段部１１３の上面に回動自在に軸支されている。即ち、載置板１３０ａは、他端部が枠体１１０ａの中段部１１３の上面に奥行き方向を軸方向とする軸１３１ａにより軸支され、載置板１３０ｂは、他端部が枠体１１０ｂの中段部１１３の上面に奥行き方向を軸方向とする軸１３１ｂにより軸支されている。
【００４０】
また、載置板１３０は、他端部が係止部材１４０に掛け置かれて係止されることで、略水平に保たれている。即ち、載置板１３０ａが係止部材１４０ａに係止され、載置板１３０ｂが係止部材１４０ｂに係止される。そして、略水平の載置板１３０の上面に、ボーナス用の景品Ｐが載置される。
【００４１】
また、載置板１３０は、係止部材１４０により略水平に係止された状態で他端部同士が多少の距離をおいて隣接するような大きさに形成されている。これにより、載置板１３０の上面に載置された景品Ｐが載置板１３０の間から景品落下口６１に落下することが防止されるとともに、軸１３１を軸中心とした載置板１３０の回動が妨げられない。更に、載置板１３０には、他端部の奥側の位置に、係止部材１４０と錘部材１６０とを繋ぐ吊下げ紐１６１との干渉を避けるために、吊下げ紐１６１が遊通する切欠き１３２が形成されている。
【００４２】
係止部材１４０は、載置板１３０を係止する部材であり、横棒１２０の中央付近に回動自在に軸支されている。図６は、係止部材１４０の斜視図である。同図に示すように、係止部材１４０は、平板の両端部が同一方向に屈曲されて成る断面コの字型形状の部材である。
【００４３】
係止部材１４０の上片１４３には、吊下げ紐１６１が結び付けられるための紐通し孔１４３ａが形成されている。下片１４５には、上片１４３の紐通し孔１４３ａに対向する側に、載置板１３０の切欠き１３２に略一致した、紐通し孔１４３ａに結ばれる吊下げ紐１６１が遊通する切欠き１４５ａが形成されている。尚、同図の係止部材１４０は、左側の係止部材１４０ｂであるため、上片１４３の右側に紐通し孔１４３ａが形成され、下片１４５の右側に切欠き１４５ａが形成されているが、右側の係止部材１４０ａでは左右逆、即ち上片１４３の左側に紐通し孔１４３ａが形成され、下片１４５の左側に切欠き１４５ａが形成されている。
【００４４】
また、下片１４５の上面には、掛け置かれる載置板１３０の端部の滑り落ちを防止する滑り止め部材１４６が密着して設けられている。滑り止め部材１４６は、例えば、ゴムやポリウタレン等によりシート状に形成された部材である。
【００４５】
係止部材１４０は、上片１４３を上に、下片１４５を下にした向きで、コの字型の中央部１４１内面であって上屈曲部１４２寄りの位置で、蝶番１５０によって回動自在に横棒１２０の背面に固定されている。蝶番１５０は、軸方向が水平且つ左右方向に沿った方向で取り付けられており、係止部材１４０は、手前側（或いは奥行き方向）に回動自在となっている。
【００４６】
そして、上片１４３の紐通し孔１４３ａに吊下げ紐１６１の一端が結び付けられている。吊下げ紐１６１は、載置板１３０の切欠き１３２及び係止部材１４０の下片１４５の切欠き１４５ａを遊通し、固定テーブル３１上の錘部材１６０に他端が結ばれている。また、下片１４５の上面に載置板１３０の他端部が掛け置かれ、これを係止している。ここで、係止部材１４０は、横棒１２０に固定された状態で下片１４５の位置の高さが載置板１３０の軸１３１の位置の高さにほぼ等しく形成されており、これにより載置板１３０を略水平に係止する。
【００４７】
図７は、図５における係止部材１４０近傍の要部拡大図である。図７（ａ）では、係止部材１４０が釣り合いを保って静止し、係止部材１４０の下片１４５の上面に載置板１３０の他端部が掛け置かれ、載置板１３０が略水平に保たれている。このとき、係止部材１４０は、中央部１４１が略垂直であり、係止部材１４０の回動の軸中心である蝶番１５０のほぼ直下の位置で載置板１４０を係止している。つまり、下片１４５が、係止部材１４０が回動する際の動線（即ち、載置板１３０の係止位置の動線）上での最下端に位置しており、このとき、係止部材１４０は載置板１３０を最も安定して係止することができる。
【００４８】
また、上片１４３の紐通し孔１４３ａに結び付けられた吊下げ紐１６１が、載置板１３０の切欠き１３２及び係止部材１４０の切欠き１４５ａを遊通して下方に垂らされ、他端に結ばれた錘部材１６０が固定テーブル３１上に置かれている。
【００４９】
そして、景品Ｐに押される等して錘部材１６０が固定テーブル３１から落下すると、同図（ｂ）に示すように、錘部材１６０の重量により係止部材１４０の上片１４３が下方に引っ張られ、係止部材１４０が手前方向（矢印ａの方向）に回動する。つまり、下片１４５が上方に移動するように回動し、下片１４５に掛け置かれていた載置板１３０の他端部が外れ、他端部が下方に向かう方向（矢印ｂの方向）に載置板１３０が回動する。これにより、略水平であった載置板１３０が略垂直となり、載置板１３０の上面に載置されていた景品Ｐが下方の景品落下口６１に向かって落下する。
【００５０】
［作用・効果］
以上、本実施形態によれば、プッシャー型の景品払出装置１００において、上面にボーナス用の景品Ｐが載置される２枚の載置板１３０が、一端部で軸方向が水平且つ奥行き方向に沿った軸１３１で軸支されているとともに、他端部が係止部材１４０に掛け置かれることにより略水平に係止されている。係止部材１４０は、断面コの字型を成しており、コの字型の中央で回動自在に軸支されているとともに、屈曲した上片１４３に吊下げ紐１６１が結び付けられ、下片１４５の上面に載置板１３０の他端部が掛け置かれることで、載置板１３０を係止している。そして、錘部材１６０が固定テーブル３１から落下すると、この錘部材１６０の落下による重力により、上片１４３が下方に向かうように係止部材１４０が回動し、下片１４５の上面に掛け置かれていた端部が下方に向かうよう載置板１３０が回動して、載置板１３０の上面に載置されていた景品Ｐが下方の景品落下口６１に向かって落下する。即ち、固定テーブル３１から錘部材１６０が落下すると、載置板１３０を係止している係止部材１４０が回動して係止が解除され、載置板１３０が回動して載置板１３０上に載置されていた景品Ｐが払い出されるという新たな景品Ｐの払出しが実現される。
【００５１】
［変形例］
尚、本発明の適用は、上述した実施形態に限定されることなく、本発明の趣旨を逸脱しない範囲で適宜変更可能である。
【００５２】
（Ａ）係止部材１４０
例えば、上述した実施形態では、載置板１３０を略水平に係止することとしたが、傾斜して係止することとしても良い。具体的には、例えば、係止部材１４０を図８のように構成する。
【００５３】
図８（ａ）は、係止部材１４０の他の構成例である係止部材１４０Ａの斜視図であり、同図（ｂ）は係止部材１４０Ａの分解斜視図である。同図によれば、係止部材１４０Ａは、断面Ｌ字型形状の固定片１４７及び可動片１４８の２つの部材から構成される。
【００５４】
固定片１４７は、係止部材１４０の中央部１４１及び上片１４３に該当し、上片１４７ｃに紐通し孔１４３ａが形成され、中央部１４７ａにねじ孔１４７ｂが形成されている。可動片１４８は、係止部材１４０の中央部１４１及び下片１４５に該当し、下片１４８ｃに切欠き１４８ｄが形成され、中央部１４８ａに長手方向に沿って長孔１４８ｂが形成されている。そして、Ｌ字型の内側から、ねじ１４９が可動片１４８の長孔１４８を貫通し、固定片１４７のねじ孔１４７ｂでねじ止めされることで、可動片１４８が固定片１４７に固定されている。
【００５５】
このとき、長孔１４８ｂのどの位置でどの角度でねじ止めするかによって、固定片１４７に対する可動片１４８の取り付け位置及び取り付け角度を変更可能である。つまり、上片１４７ｃと下片１４８ｃとの間の距離や角度を変更可能である。
【００５６】
このように構成される係止部材１４０Ａにより、載置板１３０の係止位置の高さを変更可能、即ち、載置板１３０を、他端部が景品落下口６１の中央に向けて傾斜するように傾斜させて係止させることが可能となる。このとき、固定片１４７の可動片１４８への取り付け角度は、載置板１３０の傾斜に合わせた角度とすることが望ましい。
【００５７】
（Ｂ）載置板１３０の形状
また、上述した実施形態では、載置板１３０を平板としたが、例えば断面がＶ字形状やＵ字形状といった、下方に凸の曲面を成す部材としても良い。更に、板状体でなく、下方に凸の容器形状としても良い。
【００５８】
（Ｃ）係止部材１４０の軸支
また、上述した実施形態では、係止部材１４０を蝶番１５０で横棒１２０に軸支することとしたが、他の部材、例えばねじりばね等によって回動自在に軸支することとしても良い。このとき、ねじりばねの応力（ねじり力）が載置板１３０の係止状態を保持する方向に働くように構成することで、載置板１３０の係止状態をより安定に保つことができる。
【００５９】
（Ｄ）２枚の載置板１３０を１つの係止部材１４０で係止
また、上述した実施形態では、２枚の載置板１３０それぞれが独立して係止部材１４０で係止されることとしたが、２枚の載置板１３０がともに１つの係止部材１４０により係止されることとしても良い。この場合、錘部材１６０が固定テーブル３１から落下すると、これに繋がれた係止部材１４０が回動して２枚の載置板１３０の係止が外れ、２枚の載置板１３０の両方が回動し、載置されている景品Ｐが景品落下口６１に向かって落下する。
【００６０】
（Ｅ）１枚の載置板１３０を複数の係止部材１４０で係止
また、１枚の載置板１３０を複数の係止部材１４０で係止することとしても良い。この場合、載置板１３０は、それぞれの係止部材１４０に繋がれた錘部材１６０全てが固定テーブル３１から落下して初めて回動し、載置されている景品Ｐが落下することになる。
【００６１】
（Ｆ）係止部材１４０の回動
更に、上述した実施形態では、係止部材１４０の上片１４３に繋がれた錘部材１６０の固定テーブル３１からの落下により、係止部材１４０の上片１４３が引っ張られて下方に向かうように係止部材１４０が回動し、載置板１３０の係止が解除されることとしたが、他の手段により係止部材１４０が回動して載置板１３０の係止が解除されることとしても良い。
【００６２】
例えば、図９に示すように、係止部材１４０の上片１４３に、ＪＰ払出装置４０のＪＰボックス４１により外力が与えられて回動することとしても良い。即ち、所定のＪＰ条件が満足されて支持アーム４２が手前側（プレーヤ側）に倒れ、ＪＰボックス４１が上方の位置から下方の位置に下りて来ると、ＪＰボックス４１の底部が係止部材１４０の上片１４３の上面に当接してこれを下方に押す（外力を与える）。これにより、上片１４３が下方に向かうように係止部材１４０が回動し、載置板１３０の係止が解除される。
【図面の簡単な説明】
【００６３】
【図１】遊戯装置の外観図。
【図２】遊戯装置の平面図。
【図３】ステーションの垂直断面図。
【図４】景品払出装置の斜視図。
【図５】景品払出装置の平面図及び正面図。
【図６】係止部材の斜視図。
【図７】景品払出装置の動作の説明図。
【図８】係止部材の変形例。
【図９】係止部材の回動の変形例。
【符号の説明】
【００６４】
１  遊戯装置
１０  ターンテーブル
２０  掬い上げ装置
３０  プッシャーテーブル部
３１  固定テーブル
３２  スライドテーブル
６１  景品落下口
１００  景品払出装置
１１０  枠体
１２０  横棒
１３０  載置板
１４０  係止部材
１４３  上片
１４３ａ  紐通し孔
１４５  下片
１４６  切欠き
１４７  滑り止め部材
１６０  錘部材
１６１  吊下げ紐
【図１】
0004551342.tif 000002
【図２】
0004551342.tif 000003
【図３】
0004551342.tif 000004
【図４】
0004551342.tif 000005
【図５】
0004551342.tif 000006
【図６】
0004551342.tif 000007
【図７】
0004551342.tif 000008
【図８】
0004551342.tif 000009
【図９】
0004551342.tif 000010